(57)【要約】      （修正有）【課題】収納性・可搬性に優れるとともに組み立て・解体作業が容易に行える自立式のパーティションを提供する。【解決手段】パネルと安定脚３Ａを備え、安定脚３Ａがパネルに対し直角位置と平行位置との間で回動する自立式のパーティションであって、安定脚３Ａが、脚板３１と、これに立設されて支持板３２ａを有した支持体３２と、横向きのボルト・ナット３４で支持板３２ａに締結された摺動板及び縦向きの固定ネジ３５でパネル下端側に螺着・固定された固定板３３ａからなる固定体３３とを備え、且つ、挿通孔３２１が縦長に延長されており、ボルト・ナット３４の締結を解除することで挿通孔３２１の範囲内でパネル支持高さの調整が行え、固定ネジ３５を緩めて固定を解除することで前記回動が可能になるものとした。【選択図】図４
2015045198.tif 000002
【特許請求の範囲】
【請求項１】
平面視方形で平板状のパネルと、該パネルの下端側に装着されて前記パネルを垂直に支持する安定脚を備え、該安定脚が前記パネルに対しその長手方向を直角位置と平行位置との間で水平方向に回動可能とされた自立式のパーティションにおいて、
前記安定脚は、床面に載る脚板と、該脚板上に立設され垂直の支持板を有した支持体と、垂直の摺動面を前記支持板に密接しながら横向きの固定ネジ部材で前記支持板に締結された摺動板及び水平の固定面を前記パネルの底面に下から密着した状態で縦向きの固定ネジ部材で前記パネル下端側に螺着・固定された固定板からなる固定体とを備えており、前記横向きの固定ネジ部材が挿通する前記支持板又は／及び前記摺動板の挿通孔は縦長に延長されており、前記横向きの固定ネジ部材を緩めて前記締結を解除することで、前記摺動面を前記支持板の側面で摺動しながら前記縦長の挿通孔の範囲内で前記固定体が上下移動可能となって、パネルの支持高さの調整が行えるものとされ、前記固定板を下から挿通した縦向きの固定ネジ部材を緩めて前記固定板の前記パネル下端側への固定を解除することで、前記縦向きの固定ネジ部材を中心軸とした前記水平方向の回動が可能となる、ことを特徴とするパーティション。
【請求項２】
前記縦向きの固定ネジ部材の中途位置には、大径部が形成されてその上面が前記固定板の下面に密着するとともに、その下端側には高低調整用ナットがその底面を前記脚体上面側に接して螺着されており、前記横向きの固定ネジ部材を緩めた状態で前記高低調整用ナットを回すことにより、前記縦向きの固定ネジ部材を上下動させて前記固定体の高さを変更しながら前記パネルの支持高さの調整が行われる、ことを特徴とする請求項１に記載したパーティション。
【請求項３】
前記大径部はナット状に形成されており、該大径部を回動させることで前記縦向きの固定ネジ部材が回動して、前記パネル下端側に設けられた装着用ネジ孔への固定・固定解除操作が行われる、ことを特徴とする請求項２に記載したパーティション。
【請求項４】
前記支持体は短冊状の金属板をＬ字状に屈曲してなり、前記固定体は短冊状の金属板を逆Ｌ字状に屈曲してなる、ことを特徴とする請求項１，２または３に記載したパーティション。
【請求項５】
請求項１，２，３または４に記載されたパーティションに使用される安定脚であって、床面に載る脚板と、該脚板上に立設され垂直の支持板を有した支持体と、垂直の摺動面を前記支持板に密接しながら横向きの固定ネジ部材で前記支持板に締結された摺動板及び水平の固定面を前記パネルの底面に下から密着して縦向きの固定ネジ部材で前記パネル下端側に螺着・固定される固定板からなる固定体とを備えており、前記横向きの固定ネジ部材が挿通する前記支持板又は／及び前記摺動板の挿通孔は縦長に延長されており、前記横向きの固定ネジ部材を緩めて前記締結を解除することで、前記摺動面を前記支持板の側面で摺動しながら前記縦長の挿通孔の範囲内で前記固定体が上下移動可能となって、パネルの支持高さの調整が行えるものとされ、前記固定板を下から挿通した縦向きの固定ネジ部材を緩めて前記固定板の前記パネル下端側への固定を解除することで、前記縦向きの固定ネジ部材を中心軸とした前記脚体の水平方向の回動が可能な状態となる、ことを特徴とした安定脚。
【発明の詳細な説明】
【技術分野】
【０００１】
本発明は、屋内空間を間仕切りするためのパーティション及びその安定脚に関し、殊に、組み立て・解体が容易で収納性・可搬性に優れたパーティション及びそのパネルを垂直に支持するための回動式の安定脚に関する。
【背景技術】
【０００２】
室内空間を簡易的に間仕切りする手段として、自立式のパーティション（ローパーティション）が周知である。このパーティションは、所定の高さを有した平板状のパネル、その下端側に装着されてパネルを垂直に支持する安定脚、パネル同士を連結する連結手段からなり、壁面や床面に固定することなく複数枚のパネルを比較的容易に所望のレイアウトで配置することができ、またそのレイアウトを変更することも可能である。
【０００３】
このような自立式のパーティションは、レイアウトの変更が比較的頻繁に行われるオフィスや工場等で使用されるケースが多く、業務の休止期間と作業コストを最小限に抑える観点から、組み立て・解体作業が誰でも容易に行えるとともに短時間で完了可能なものであることが好ましい。
【０００４】
しかし、パネルを垂直に支持して安定させるための安定脚は、特開平８−８６０３４号公報に記載されているように、Ｌ字形の金具をパネル下部両端側の表裏面にネジ部材やフックで固定する方式が一般的であり、パネル１枚当たり４個の安定脚の固定が必要になるため、パーティションの組み立て・解体に手間を要しやすい。
【０００５】
この場合、安定脚を予めパネルに固定したまま保管・運搬して、そのまま組み立て・解体を行うことも考えられるが、パネルの下端側で安定脚が前後に突出して邪魔になるため、収納性・可搬性を大きく損なう結果となってしまう。また、複数枚のパネルを連結してパーティションを設置する際には、各パネルの高さを一致させるために各安定脚の取り付け位置の調整が必要になるが、その調整作業にも比較的大きな手間を要する。
【０００６】
そこで、安定脚の中央部をパネル下端側に回動可能に取り付け、パネルに直交する使用時の位置と、パネルに平行な収納時の位置との間で変更操作できるようにしたパーティションが、特開２００８−２４８５４６号公報に提案されている。これにより、収納・運搬時には安定脚をパネルに平行な状態に収納して平積みを可能とし、組み立て時には安定脚を回してパネルに直交させて支持状態とすることができ、また、レイアウト変更時には安定脚を収納することでパネルの移動作業が容易なものとなる。
【０００７】
ところが、この安定脚が回動可能なパーティションは、安定脚自体とその取り付け構造が複雑であるため、コストの低廉化が困難である。また、パネルの高さを調整する際には、安定脚の両端に設けたキャスター等の装着ネジを多数調整する必要があるため、その作業に多大な手間と時間を要する結果となってしまう。
【先行技術文献】
【特許文献】
【０００８】
【特許文献１】特開平８−８６０３４号公報
【特許文献２】特開２００８−２４８５４６号公報
【発明の概要】
【発明が解決しようとする課題】
【０００９】
本発明は、上記のような問題を解決しようとするものであり、自立式のパーティションにおいて、収納性・可搬性に優れるとともに組み立て・解体作業が容易に行えるものを、低コストで提供できるようにすることを課題とする。
【課題を解決するための手段】
【００１０】
そこで、本発明は、平面視方形で平板状のパネルと、このパネルの下端側に装着されてパネルを垂直に支持する安定脚を備え、この安定脚がパネルに対しその長手方向を直角位置と平行位置との間で水平方向に回動可能とされた自立式のパーティションにおいて、その安定脚は、床面に載る脚板と、この脚板上に立設され垂直の支持板を有した支持体と、垂直の摺動面を前記支持板に密接しながら横向きの固定ネジ部材で前記支持板に締結された摺動板及び水平の固定面をパネルの底面に下から密着した状態で縦向きの固定ネジ部材でパネル下端側に螺着・固定された固定板からなる固定体とを備えており、前記横向きの固定ネジ部材が挿通する前記支持板又は／及び前記摺動板の挿通孔は縦長に延長されており、前記横向きの固定ネジ部材を緩めて前記締結を解除することで、前記摺動面を前記支持板の側面で摺動しながら前記縦長の挿通孔の範囲内で前記固定体が上下移動可能となって、パネルの支持高さの調整が行えるものとされ、前記固定板を下から挿通した縦向きの固定ネジ部材を緩めて前記固定板の前記パネル下端側への固定を解除することで、前記縦向きの固定ネジ部材を中心軸とした前記水平方向の回動が可能な状態となる、ことを特徴とするものとした。
【００１１】
このように、パネル側に固定される固定板と支持板側面で上下に摺動する摺動板を固定体として１部品に纏めたことで、パネルの支持高さを調整する部分と脚体の向きを固定・変更させる部分とを単純な構造で両立したものとなり、コストの高騰を招くことなく、パネル下端側に装着したままパネルに直角の使用状態と平行の収納状態との間で切り替え可能としながら、支持高さの調整を容易に行えるものとなる。
【００１２】
また、このパーティションにおいて、前記縦向きの固定ネジ部材の中途位置には、大径部が形成されてその上面が前記固定板の下面に密着するとともに、その下端側には高低調整用ナットが底面を脚体上面側に接して螺着されており、前記横向きの固定ネジ部材を緩めた状態で前記高低調整用ナットを回すことにより、前記縦向きの固定ネジ部材を上下動させて前記固定体の高さを変更しながらパネルの支持高さの調整が行われる、ことを特徴としたものとすれば、パネルの高さ調整作業が極めて容易なものとなる。
【００１３】
この場合、その大径部はナット状に形成されており、これを回動させることで縦向きの固定ネジ部材が回動して、パネル下端側に設けられた装着用ネジ孔への固定・固定解除操作が行われる、ことを特徴としたものとすれば、脚体の向きの変更作業が極めて容易なものとなる。
【００１４】
さらに、上述したパーティションにおいて、その支持体は短冊状の金属板をＬ字状に屈曲してなり、その固定体は短冊状の金属板を逆Ｌ字状に屈曲してなる、ことを特徴としたものとすれば、簡易な構造により製造コストを低廉に抑えやすいものとなる。
【００１５】
さらにまた、上述したパーティションに使用される安定脚であって、床面に載る脚板と、この脚板上に立設され垂直の支持板を有した支持体と、垂直の摺動面を前記支持板に密接しながら横向きの固定ネジ部材で前記支持板に締結された摺動板及び水平の固定面をパネルの底面に下から密着して縦向きの固定ネジ部材でパネル下端側に螺着・固定される固定板からなる固定体とを備えており、前記横向きの固定ネジ部材が挿通する前記支持板又は／及び前記摺動板の挿通孔は縦長に延長されており、前記横向きの固定ネジ部材を緩めて前記締結を解除することで、前記摺動面を前記支持板の側面で摺動しながら前記縦長の挿通孔の範囲内で前記固定体が上下移動可能となって、パネルの支持高さの調整が行えるものとされ、前記固定板を下から挿通した縦向きの固定ネジ部材を緩めて前記固定板の前記パネル下端側への固定を解除することで、前記縦向きの固定ネジ部材を中心軸とした前記脚体の水平方向の回動が可能な状態となる、ことを特徴としたものとすれば、パネルの下端側に装着するだけで上述したパーティションの機能を発揮できるものとなる。
【発明の効果】
【００１６】
パネル側に固定される固定板と支持板側面で上下に摺動する摺動板を固定体として１部品に纏めた本発明によると、収納性・可搬性に優れながら組み立て・解体作業が容易に行えるものとなる。
【図面の簡単な説明】
【００１７】
【図１】本発明の実施の形態であるパーティションの部分正面図。
【図２】図１のパーティションを構成しているパーティション構成単位の安定脚を収納した状態を示す正面図。
【図３】（Ａ）は図２の安定脚の詳細を示す拡大した正面図、（Ｂ）は（Ａ）の平面図。
【図４】図３（Ｂ）のＡ−Ａ線断面図。
【図５】（Ａ）は図４の安定脚をパネルに装着した状態を示す部分縦断面図、（Ｂ）は（Ａ）の安定脚を収納した状態を示す部分縦断面図。
【図６】図５（Ａ）の安定脚の支持高さを変更した状態を示す部分縦断面図。
【図７】（Ａ）は図１のパーティションの上部連結構造の詳細を示す拡大した平面図、（Ｂ）は（Ａ）の部分斜視図。
【図８】図７（Ｂ）の直線方向の連結を直角方向の連結に変更した状態を示す部分斜視図。
【図９】（Ａ）は図８の連結ネジ部材を異なる連結ネジ部材に変更した場合の連結作業時の状態を示す部分斜視図、（Ｂ）は（Ａ）の状態から連結が完了した状態を示す部分斜視図。
【図１０】パネルの途中位置で直角に連結する場合を示す部分斜視図。
【図１１】（Ａ）は図１０の連結状態を示す部分縦断面図、（Ｂ）は（Ａ）の連結ネジ部材を図９の連結ネジ部材に変更した場合を示す部分縦断面図。
【図１２】（Ａ），（Ｂ）は連結ネジ部材、固定ネジ部材の変形例を示す正面図。
【発明を実施するための形態】
【００１８】
以下に、図面を参照しながら本発明を実施するための形態を説明する。
【００１９】
図１は、本実施の形態であるパーティション１Ａの直線的な連結部分を示している。このパーティション１Ａは、平面視方形で平板状のパネル２０，２０，・・・と、各パネル２０の下端側に装着されてこれを垂直に支持する安定脚３Ａ，３Ａ，・・・を備えている。また、各パネル２０は、下端側に安定脚３Ａを２脚ずつ装着されてパーティション構成単位２Ａとされ、その左右両端側の柱部材２１，２２が各々上下に突出した突出部同士を、横向きの連結ネジ部材であるボルト・ナット５０で各々連結されて、自立式のパーティション１Ａを構成している。
【００２０】
図２は、図１のパーティション１Ａを構成しているパーティション構成単位２Ａの一つを示しているが、その安定脚３Ａ，３Ａは、その長手方向をパネル２０の幅方向に沿う向きの収納時の状態となっている。即ち、安定脚３Ａは、その長手方向をパネル２０に対し直角の位置と平行の位置との間で水平方向に回動可能であり、パネル２０の下端側に装着した状態のまま、パネル２０を自立させる使用時の状態とパネル２０の厚さから前後に突出しない運搬・収納時の状態との間で自在に切り替え操作することができる。
【００２１】
図３（Ａ）は、斯かる安定脚３Ａの詳細を示す拡大した正面図、図（Ｂ）はその平面図を示している。この安定脚３Ａは、床面に載る部分として金属板を短冊状に形成した脚板３１と、この脚板３１上の中央付近で立設された垂直の支持板３２ａ及び脚板３１上に固着された水平の足板３２ｂからなる支持体３２と、垂直の摺動面を支持板３２ａに密接しながら横向きの固定ネジ部材であるボルト・ナット３４で支持板３２ａに締結された摺動板３３ｂ、及び水平の固定面を図示しないパネル２０底面に下から密着した状態で縦向きの固定ネジ３５でパネル２０下端側に螺着・固定される固定板３３ａからなる固定体３３とを備えている。
【００２２】
図４の安定脚３Ａの縦断面図を参照して、その支持体３２及び固定体３３は、脚板３１と同様に長方形の金属板を屈曲してなるものであり、支持体３２は金属板をＬ字型に屈曲されて垂直部分の支持板３２ａにボルト３４ａを挿通させる縦長の挿通孔３２１を有し、固定体３３は金属板を逆Ｌ字型に屈曲されて垂直部分の摺動板３３ｂにボルト３４ａを挿通させる挿通孔３３２を有しており、これらがボルト・ナット３４で締結されることで、固定体３３が支持体３２により所定の高さ位置で支持されるようになっている。
【００２３】
また、固定体３３の水平部分である固定板３３ａは、固定ネジ３５の軸体３５ａを上下に挿通させる挿通孔３３１を有しており、固定板３３ａを下から挿通した軸体３５ａ中央位置に回動不能に固着されたナット３５ｂの上面に、固定板３３ａが載ってその下面が密着した状態となり、且つ、軸体３５ａ下端側に螺着された高低調整用ナット３５ｃが脚板３１の上面に載っている。
【００２４】
次に、図５、図６を用いて本実施の形態の機能的な特徴部分を説明する。図５（Ａ）は、パーティション１Ａの使用時における安定脚３Ａの状態を示している。即ち、パネル２０の下面にはナット装着孔２７内に鬼爪ナット２７ａが没入・固着されて装着用ネジ孔が設けられており、これに縦向きの固定ネジ３５の軸体３５ａ上端側が螺着されて安定脚３Ａがパネル２０下端側に装着されており、その脚体３１の長手方向がパネル２０に直角の向きで固定されている。
【００２５】
そして、パーティション１Ａの保管・運搬時には、図５（Ｂ）に示すように安定脚３Ａをパネル２０に対し平行な状態にして収納位置とするが、この場合は、固定ネジ３５の軸体３５ａ中途位置に固着したナット３５ｂをスパナ等の工具で回してパネル２０側への固定を緩めることにより、安定脚３Ａを回動可能な状態とし、脚体３１を回して収納してから固定ネジ３５でパネル２０に固定するものであり、これにより、安定脚３Ａはパネル２０に装着した状態のまま前記操作を実施することができる。
【００２６】
一方、パネル２０の支持高さを調整する場合は、横向きの固定ネジ部材であるボルト・ナット３４のナット３４ｂやボルト３４ａをスパナ等の工具で回して、支持体３２と固定体３３の締結を緩めることにより、支持体３２側の縦長の挿通孔３２１の範囲内でボルト３４ａ及び固定体３３が上下にスライド可能な状態となり、固定ネジ３５下端側に螺着した高低調整用ナット３５ｃをスパナ等の工具で回動させることで、固定ネジ３５を介して固定体３３及びこれに載ったパネル２０を上下動させることがでる。
【００２７】
そして、固定ネジ３５を操作して適当な支持高さになったら、緩めたボルト・ナット３４を締めて支持体３２と固定体３３を再度締結することにより、パネル２０の支持高さを固定することができる。この場合も、安定脚３Ａをパネル２０に装着した状態のまま操作できるため、特別な技術を要さずに短時間且つ容易に調整作業が完了する。尚、ボルト３４ａの上下動作を可能にする縦長の挿通孔は、固定体３３側に設けてもよく、或いは支持体３２側と固定体３３側の両方に設けてもよい。
【００２８】
図７（Ａ）は、パネル２０，２０同士を直線的に連結する構成部分の詳細を平面図で示しており、図（Ｂ）はその斜視図を示している。本実施の形態のパーティション１Ａにおいては、パネル２０の左右両端側の柱部材２１，２２は上下に突出部分を有していることから、この突出部分をパネル２０の幅方向に沿う貫通孔２１ｂ，２２ｂを挿通した横向きの連結ネジ部材であるボルト・ナット５０で連結した構成となっている。
【００２９】
このように、連結構造が極めて簡易な構成によるものであるため、比較的低コストで実施可能であるとともに、連結及び連結解除のための作業も容易である。また、パネル２０，２０下端側の連結構造も同様である。尚、本実施の形態においては、パネル２０には無垢に近い木材を使用することを想定しており、その場合はボルト５０ａのボルトヘッドとナット５０ｂの当接する側に、ワッシャ５０ｃを介装することが推奨される。
【００３０】
図８は、パネル２０を直角方向に連結する構成部分の詳細を示している。前述した柱部材２１，２２の突出部分には、パネル２０の厚さ方向に沿う貫通孔２１ａ，２２ａが形成されており、図の場合においては、前述した柱部材２１の貫通孔２１ｂと柱部材２２の貫通孔２２ａとが一直線に連通するように位置合わせをし、ボルト・ナット５０で挿通してパネル２０，２０を直角方向に連結する。尚、この場合も前述と同様に簡単な手順で作業を完了することができる。
【００３１】
図９は、図７、図８に示した連結手段の応用例を示している。本実施の形態において、パネル２０は柱状の部材を四角に連結して内周側に中板を嵌め込んで製作していることから、柱部材２１，２２の内周面には溝２１ｃ，２２ｃが形成されており、これが突出部分にも露出したものとなっている。
【００３２】
そこで、図９（Ａ）に示すように、その溝２１ｃ，２２ｃの幅よりもやや幅狭の延べ板状のボルトヘッドを有した略Ｔ字状のボルト６０ａを、貫通孔２１ｂ，２２ｂに挿通してナット６０ｂに螺着することにより、ボルトヘッドをそのまま溝２１ｃ内に没入させて締結することができ、ボルトヘッドが目立たなくなるとともにその部分のワッシャ５０ａも不要なものとなる。また、図（Ｂ）に示すように、直角の連結部分でも前述したボルト・ナット６０で同様に連結することができる。
【００３３】
図１０は、パネル２０の中途位置に対し、パネル２０を直角に連結する構成部分の詳細を示している。この場合は、短冊状の金属板材を鉤状に屈曲させてなる連結用金具９０を使用し、パネル２０の上端側で横向きに配置された柱部材２３と、これに対し直角方向に当接するパネル２０の柱部材２１の突出部分とを連結するものである。
【００３４】
即ち、連結用金具９０にはボルト用の挿通孔９０ａ，９０ｂが形成されており、図１１（Ａ）の縦断面図に示すように、連結用金具９０の下部内側面でパネル２０の横向きの柱部材２３を柱部材２１に押圧して挟み込むようにして、ボルト・ナット５０で締結・固定されるようになっている。また、図（Ｂ）に示すように、上述したボルト・ナット６０を使用することもできるが、金属薄板のみで形成した連結用金具９０の代わりに、木材等からなる直方体の部材１００ａの一側面に長方形の金属薄板１００ｂを下端側が突出するように固着してなる連結用具１００を使用しても同様である。
【００３５】
尚、図１２（Ａ）に示すように、上述した実施の形態で用いた各ボルト・ナットを蝶ネジ式のボルト・ナット７０にしたり、図（Ｂ）に示すようにボルトヘッド及びナット部分を大径の円柱状にしたボルト・ナット８０にしたりすることで、スパナ等の工具を使用しなくても組み立て・解体を実施できるようになる。
【００３６】
以上、述べたように、自立式のパーティションにおいて、本発明により、収納性・可搬性に優れて組み立て・解体作業が容易に行えるものを、低コストでも提供できるようになった。
【符号の説明】
【００３７】
１Ａ  パーティション、２Ａ  パーティション構成単位、３Ａ  安定脚、２０  パネル、３１  脚板、３２  支持体、３２ａ  支持板、３３  固定体、３３ａ  固定板、３３ｂ  摺動板、３４，５０，６０，７０，８０  ボルト・ナット、３５  固定ネジ、３５ａ  軸体、３５ｃ  高低調整用ナット、３２１，３３１，３３２  挿通孔
【図１】
2015045198.tif 000003
【図２】
2015045198.tif 000004
【図３】
2015045198.tif 000005
【図４】
2015045198.tif 000006
【図５】
2015045198.tif 000007
【図６】
2015045198.tif 000008
【図７】
2015045198.tif 000009
【図８】
2015045198.tif 000010
【図９】
2015045198.tif 000011
【図１０】
2015045198.tif 000012
【図１１】
2015045198.tif 000013
【図１２】
2015045198.tif 000014